(57)【要約】【課題】初回に受け付けた宛先の設定の如何に拘らず再入力を受け付け、初回と再入力の場合とで同一に設定された宛先へ送信して、誤送信を防止できる通信端末装置を提供する。【解決手段】テンキー１０５、ワンタッチキー１０１及びタッチパネル１０４に対して行われた宛先の設定を受け付ける。初回の宛先の設定が、宛先情報の直接入力、短縮ダイヤル、ワンタッチキー１０１及び電話帳の何れによるものであっても再入力を受け付けて、受け付けた設定の内容を設定宛先テーブル３２に記憶する。そして、再入力として受け付けた宛先の設定の内容と、設定宛先テーブル３２の内容とが同一であると判定したときに、前期設定に対応する宛先情報に基づいて通信する。【選択図】図１
2009194761.tif 000002
【特許請求の範囲】
【請求項１】
宛先情報並びに宛先情報に対応付けられたワンタッチキー、短縮ダイヤル及び電話帳による１又は複数の宛先の設定を受け付ける受付部と、受け付けた設定に夫々対応する各宛先情報に基づいて通信する通信部とを備える通信端末装置において、
前記受付部は設定を複数回受け付けるように構成してあり、
更に、
前記受付部が設定を受け付けた場合、受け付けた設定を記憶する設定記憶部と、
該設定記憶部が記憶した設定及び前記受付部が前記設定記憶部の記憶後に受け付けた設定が、同一であるか否かを判定する判定部とを備え、
前記通信部は、前記判定部が同一であると判定した設定に対応する宛先情報に基づいて、通信するように構成してあることを特徴とする通信端末装置。
【請求項２】
前記判定部が、同一でないと判定した場合、前記設定記憶部が記憶した設定及び前記受付部が前記設定記憶部の記憶後に受け付けた設定が、同一の宛先情報に対応するか否かを判定する第２の判定部を備え、
該第２の判定部が同一の宛先情報に対応すると判定した場合、前記通信部が前記同一の宛先情報に基づいて通信するように構成してあることを特徴とする請求項１に記載の通信端末装置。
【請求項３】
前記ワンタッチキーは、夫々異なる番号を割り当てた複数のキーを有し、
更に、
前記キーに対応する宛先が、前記キーに割り当てられた番号と同一の番号を有する短縮ダイヤルに対応付けられた短縮ダイヤル記憶部を備えることを特徴とする請求項１又は２に記載の通信端末装置。
【請求項４】
前記受付部が設定を受け付けた場合、受け付けた設定の内容を表示する表示部を備えることを特徴とする請求項１から３までの何れか１項に記載の通信端末装置。
【請求項５】
前記受付部が、前記設定記憶部の記憶前に受け付けた設定の内容が、前記表示部によって表示されるのを禁止する表示禁止部を備えることを特徴とする請求項４に記載の通信端末装置。
【請求項６】
前記設定記憶部による記憶を終了させるための指令を受け付ける終了受付部を備えることを特徴とする請求項１から５までの何れか１項に記載の通信端末装置。
【請求項７】
前記設定記憶部の記憶後の前記受付部による設定の受付要否を、設定の種別毎に記憶する要否記憶部と、
前記設定記憶部に記憶された設定について、前記要否記憶部に受付否と記憶されている場合、前記受付部による設定の受け付けを禁止する受付禁止部とを備え、
該受付禁止部が禁止した場合、前記通信部が、前記設定記憶部に記憶された設定に対応する宛先情報に基づいて、通信するように構成してあることを特徴とする請求項１から６までの何れか１項に記載の通信端末装置。
【請求項８】
通信の開始の指令を受け付ける開始受付部を備え、
該開始受付部が前記指令を受け付けた場合、前記通信部が通信を開始するように構成してあることを特徴とする請求項７に記載の通信端末装置。
【請求項９】
前記受付部による設定の受け付けを中止させるための指令を受け付ける中止受付部と、
該中止受付部が前記指令を受け付けた場合、前記設定記憶部が記憶した設定を消去する設定消去部と
を備えることを特徴とする請求項１から８までの何れか１項に記載の通信端末装置。
【発明の詳細な説明】
【技術分野】
【０００１】
本発明は、公衆電話網等の通信回線を介して、設定された宛先にデータを送信する通信端末装置に関する。
【背景技術】
【０００２】
ファクシミリ等の通信端末装置では、電話番号又はメールアドレス等の宛先情報を直接入力して宛先を設定する機能のほか、予め特定のワンタッチキー及び短縮ダイヤルと宛先情報とを対応付けて登録しておくことにより、夫々ワンタッチキー及び短縮ダイヤルの入力により、簡便に宛先を設定する機能が備わっていることが多い。
【０００３】
また、通信端末装置によっては、宛先情報に対応付けられたワンタッチキー又は短縮ダイヤルを、更に宛先の名称又はグループの名称と対応付けて電話帳に登録しておき、電話帳に表示された名称を検索／選択して、宛先を設定する機能をも備えている。
【０００４】
このよう宛先の設定が多様化した通信端末装置の利用機会が拡大する一方で、安易に宛先が設定されることによる誤送信が懸念され、機密情報漏洩防止の観点からも、通信端末装置のセキュリティ機能の強化が求められる。
【０００５】
そこで、特許文献１では、同報送信に際し、宛先情報を直接入力して宛先が設定された場合、使用者に再度宛先の設定のための入力（以下、再入力という）を求め、夫々直接入力された宛先情報が一致したときに送信を行う技術が開示されている。また、特許文献２には、短縮情報（短縮ダイヤル）の入力により設定された宛先の宛先情報と、再入力により直接入力された宛先情報とが一致する場合にのみ、該宛先へデータを送信する技術が開示されている。
【特許文献１】特開２００７−１２９３５１号公報
【特許文献１】特開２００７−０３６４７８号公報
【発明の開示】
【発明が解決しようとする課題】
【０００６】
しかしながら、特許文献１及び２に開示された技術では、使用者に再入力を求めるのは、初回に、短縮ダイヤルの入力及び宛先情報の直接入力により宛先が設定された場合のみであるため、再入力によるセキュリティ機能の強化は限定されたものであった。また、何れの文献に開示された技術にあっても、再入力に際し宛先情報を直接入力する必要があるという煩雑なところがあった。
【０００７】
本発明は斯かる事情に鑑みてなされたものであり、その目的とするところは、初回に受け付けた宛先の設定の如何に拘らず再入力を受け付け、初回と再入力の場合とで同一に設定された宛先へ送信して、誤送信を防止できる通信端末装置を提供することにある。
【課題を解決するための手段】
【０００８】
本発明に係る通信端末装置は、宛先情報並びに宛先情報に対応付けられたワンタッチキー、短縮ダイヤル又は電話帳による１又は複数の宛先の設定を受け付ける受付部と、受け付けた設定に夫々対応する各宛先情報に基づいて通信する通信部とを備える通信端末装置において、前記受付部は設定を複数回受け付けるように構成してあり、更に、前記受付部が設定を受け付けた場合、受け付けた設定を記憶する設定記憶部と、該設定記憶部が記憶した設定及び前記受付部が前記設定記憶部の記憶後に受け付けた設定が、同一であるか否かを判定する判定部とを備え、前記通信部は、前記判定部が同一であると判定した設定に対応する宛先情報に基づいて、通信するように構成してあることを特徴とする。
【０００９】
本発明にあっては、受付部は、設定を複数回受け付け、設定記憶部は、受付部が設定を受け付けた場合、受け付けた設定を記憶し、判定部は、宛先記憶部が記憶した設定及び受付部が宛先記憶部の記憶後に受け付けた設定が、同一であるか否かを判定する。通信部は、判定部が同一であると判定した設定に対応する宛先情報に基づいて通信する。
これにより、初回に、宛先情報、ワンタッチキー、短縮ダイヤル及び電話帳の何れの入力により設定された宛先についても、再入力を受け付け、初回と再入力の場合とで設定の入力種別が同一で、設定に対応する宛先情報が同一のときに、設定が同一と判定する。そして、同一と判定した設定に対応する夫々の宛先情報に基づいて、各宛先と通信する。従って、初回の宛先の設定に誤りがあった場合に、誤送信を防止できる。
【００１０】
本発明に係る通信端末装置は、前記判定部が、同一でないと判定した場合、前記設定記憶部が記憶した設定及び前記受付部が前記設定記憶部の記憶後に受け付けた設定が、同一の宛先情報に対応するか否かを判定する第２の判定部を備え、該第２の判定部が同一の宛先情報に対応すると判定した場合、前記通信部が前記同一の宛先情報に基づいて通信するように構成してあることを特徴とする。
【００１１】
本発明にあっては、第２の判定部は、判定部が同一でないと判定した場合、設定記憶部が記憶した設定及び受付部が設定記憶部の記憶後に受け付けた設定が、同一の宛先情報に対応するか否かを判定し、通信部は、第２の判定部が同一の宛先情報に対応すると判定した場合、前記同一の宛先情報に基づいて通信する。
これにより、初回と再入力の場合とで設定の入力種別が異なるときにも、再入力を受け付けて、設定に対応する宛先情報が同一のときに、同一の宛先情報を有する宛先と通信する。従って、再入力の場合に、初回の設定とは意図的に異なる入力種別で宛先を設定するときは、より確実に誤送信を防止でき、初回の設定の入力種別に拘らないときは、これを記憶する必要がないため操作性を向上させることができる。
【００１２】
本発明に係る通信端末装置は、前記ワンタッチキーは、夫々異なる番号を割り当てた複数のキーを有し、更に、前記キーに対応する宛先が、前記キーに割り当てられた番号と同一の番号を有する短縮ダイヤルに対応付けられた短縮ダイヤル記憶部を備えることを特徴とする。
【００１３】
本発明にあっては、短縮ダイヤル記憶部が、ワンタッチキーの各キーに対応する夫々の宛先を、夫々のキーに割り当てられた番号と同一番号の各短縮ダイヤルに対応付ける。
これにより、例えば、ワンタッチキーのＮ番（Ｎは自然数）及び短縮ダイヤルの＃Ｎで設定された宛先は同一となる。従って、短縮ダイヤル及びワンタッチキーについて宛先の登録の一元管理が可能となる。
【００１４】
本発明に係る通信端末装置は、前記受付部が設定を受け付けた場合、受け付けた設定の内容を表示する表示部を備えることを特徴とする。
【００１５】
本発明にあっては、表示部は、受付部が設定を受け付けた場合に、受け付けた設定の内容を表示する。
これにより、使用者は、設定の際に入力した内容を確認できる。また、例えば設定した宛先について予め登録されているデータが併せて表示されたときは、宛先を設定する際の誤りを低減できる。
【００１６】
本発明に係る通信端末装置は、前記受付部が、前記設定記憶部の記憶前に受け付けた設定の内容が、前記表示部によって表示されるのを禁止する表示禁止部を備えることを特徴とする。
【００１７】
本発明にあっては、表示禁止部は、受付部が設定記憶部の記憶前に受け付けた設定の内容が、表示部によって表示されるのを禁止する。
これにより、初回の設定については、使用者が入力した内容も、予め登録されている内容も表示されない。従って、初回の設定に誤りがある場合、再入力のときにも同じ誤りが繰り返されることを抑止できる。
【００１８】
本発明に係る通信端末装置は、前記設定記憶部による記憶を終了させるための指令を受け付ける終了受付部を備えることを特徴とする。
【００１９】
本発明にあっては、終了受付部が、設定記憶部による記憶を終了させるための指令を受け付ける。
これにより、初回の設定と再入力の場合の設定とが明確に区別される。従って、誤送信がより確実に防止される。
【００２０】
本発明に係る通信端末装置は、前記設定記憶部の記憶後の前記受付部による設定の受付要否を、設定の種別毎に記憶する要否記憶部と、前記設定記憶部に記憶された設定について、前記要否記憶部に受付否と記憶されている場合、前記受付部による設定の受け付けを禁止する受付禁止部とを備え、該受付禁止部が禁止した場合、前記通信部が、前記設定記憶部に記憶された設定に対応する宛先情報に基づいて、通信するように構成してあることを特徴とする。
【００２１】
本発明にあっては、要否記憶部が、設定記憶部の記憶後の受付部による設定の受付要否を、設定の種別毎に記憶し、受付禁止部が、設定記憶部に記憶された設定について、要否記憶部に受付否と記憶されている場合、受付部による設定の受け付けを禁止し、通信部は、受付禁止部が禁止した場合に、設定記憶部に記憶された設定に対応する宛先情報に基づいて通信する。
これにより、初回の設定の入力種別によって、再入力の要否を区別し、再入力を要しない場合、初回の設定に対応する宛先情報に基づいて通信する。従って、例えば、通信するデータの重要度により、再入力の要否を区別した運用が行える。
【００２２】
本発明に係る通信端末装置は、通信の開始の指令を受け付ける開始受付部を備え、該開始受付部が前記指令を受け付けた場合、前記通信部が通信を開始するように構成してあることを特徴とする。
【００２３】
本発明にあっては、開始受付部が、通信の開始を受け付け、通信部は、開始受付部が前記指令を受け付けた場合に、通信を開始する。
これにより、通信の開始の指令を受け付けた場合は、初回に設定された宛先のうち、再入力が必要とされたにも拘らず再入力で設定又は宛先情報の一致確認を終えていない宛先を残して、宛先との通信を開始する。従って、例えば、初回に設定した宛先に通信不要な宛先が含まれていた場合に、必要な宛先とのみ通信することができる。
【００２４】
本発明に係る通信端末装置は、前記受付部による設定の受け付けを中止させるための指令を受け付ける中止受付部と、該中止受付部が前記指令を受け付けた場合、前記設定記憶部が記憶した設定を消去する設定消去部とを備えることを特徴とする。
【００２５】
本発明にあっては、中止受付部が、受付部による設定の受け付けを中止させるための指令を受け付け、設定消去部は、中止受付部が前記指令を受け付けた場合に、設定記憶部が記憶した設定を消去する。
これにより、設定の受け付けを中止する指令を受け付けた場合、宛先が全く設定されていない状態に初期化する。従って、例えば、宛先の設定に混乱を来たした場合、簡便な操作により、宛先の設定を最初からやり直すことができる。
【発明の効果】
【００２６】
本発明によれば、初回に受け付けた設定を宛先毎に記憶し、夫々の宛先について設定を再度受け付け、記憶及び再入力された設定が同一の場合に、各設定に夫々対応する各宛先情報に基づいて通信する。
これにより、初回に、宛先情報の直接入力、ワンタッチキー、短縮ダイヤル及び電話帳の何れの入力により設定された宛先についても、再入力を受け付け、初回と再入力の場合とで設定の入力種別が同一で、設定に対応する宛先情報が同一のときに、設定が同一と判定する。そして、同一と判定した設定に対応する夫々の宛先情報に基づいて、各宛先と通信する。従って、初回に受け付けた宛先の設定の如何に拘らず再入力を受け付け、初回と再入力の場合とで同一に設定された宛先へ送信するため、誤送信を防止できる。
【発明を実施するための最良の形態】
【００２７】
以下、本発明に係る通信端末装置の一実施例であるファクシミリ複合機について詳述する。
図１は、本発明の実施の形態に係るファクシミリ複合機の接続構成を示すブロック図である。このファクシミリ複合機は、公衆電話網を介したファクシミリ通信による画像情報の送受信、及びインターネット等のネットワークを介した電子メールによる画像情報の送受信を行うことができる。
【００２８】
図中１はＣＰＵであり、ＣＰＵ１は、バスインタフェースを介して、プログラム等の情報を記憶するＲＯＭ２、並びに各種登録データ及び一時的に発生したデータの記憶領域を有するＲＡＭ３と接続されている。ＣＰＵ１は、ＲＯＭ２に予め格納されている制御プログラムに従って、入出力制御、演算等の処理を実行する。
【００２９】
ＣＰＵ１には、原稿を読み取って画像データを生成するスキャナ９、画像データを記憶するための画像メモリ５を制御するメモリ制御回路４、画像データから画像を形成して記録するＬＥＤプリントヘッド７を制御するプリント画像処理回路６、モータ等のプリンタ機構を制御するためのプリンタ機構制御回路８、及び宛先の設定等の各種操作の受け付けと操作のために必要な情報の表示とを制御する操作／表示インタフェース１０が、バスインタフェースを介して接続されている。
【００３０】
操作／表示インタフェース１０には、番号順に配置されたキーの押下による宛先の設定を受け付けるためのワンタッチキー１０１、宛先の設定等の各種操作を受け付けるためのキー操作部１０２、操作のために必要な情報を表示するＬＣＤパネル１０３、及びＬＣＤパネル１０３の表示面にタッチされた操作を受け付けるためのタッチパネル１０４が接続されている。タッチパネル１０４は、ＬＣＤパネル１０３の画面を覆うように配されている。
【００３１】
ＣＰＵ１には、また、バスインタフェースを介して、ネットワークＮと接続するためのＬＡＮインタフェース１１、公衆電話網Ｌと接続するためのＮＣＵ１４、送受信される画像データを所定の圧縮方式に従って圧縮／伸長するコーデック１２、及びファクシミリ通信を行うためのモデム１３が接続されている。モデム１３は、ＮＣＵ１４を介して公衆電話網Ｌと接続される。
【００３２】
ＲＡＭ３は、短縮ダイヤル、ワンタッチキー１０１及び電話帳に夫々対応する宛先情報を記憶するための短縮ダイヤルテーブル３１と、設定された宛先を記憶するための設定宛先テーブル３２と、宛先を設定する際の入力種別毎に再入力の要否を記憶する再入力要否テーブル３３とを記憶する。
画像メモリ５は、ＤＲＡＭで構成され、メモリ制御回路４の制御により、原稿を読み取って生成した画像データ及び外部装置より受信した画像データを記憶する。
【００３３】
ＬＥＤプリントヘッド７は、プリント画像処理回路６で処理された画像データに応じた画像を、給紙カセットから給送された記録紙に印刷する。スキャナ９は、ＣＣＤアレイを用いた光学系で原稿を読み取り、ドットイメージで画像データを生成する。
【００３４】
キー操作部１０２は、宛先情報としての短縮ダイヤル、ファクシミリ番号等の数値を入力するためのテンキー１０５と、通信の開始又は再入力の開始を受け付けるためのスタートキー１０６と、再入力の中止を受け付けるためのキャンセルキー１０７と、を有する。
ＬＣＤパネル１０３は、本実施の形態に係るファクシミリ複合機の動作状態、宛先を設定するための電話帳、送受信される画像データ、通信状態等の表示情報を表示する。ＬＣＤパネル１０３は、また、短縮ダイヤル、ワンタッチキー１０１及び電話帳への宛先情報の登録の際に必要な画面を表示する。
【００３５】
ＬＡＮインタフェース１１は、ＬＡＮ、インターネット等のネットワークＮを介して、他の複合機、パーソナルコンピュータ等の外部装置に接続され、外部装置との間でファクシミリ通信及び電子メールの送受信を行う。ＮＣＵ１４は、公衆電話網Ｌに対する回線の閉結及び開放の動作を行い、ファクシミリ通信に際して、モデム１３を公衆電話網Ｌに接続する。
【００３６】
図２は、宛先の設定の受け付け、設定内容の表示及び通信に係る、ファクシミリ複合機の構成を示すブロック図である。ＣＰＵ１は、ＲＯＭ２に予め格納されたプログラム及びデータを読み出して実行することにより、ファクシミリ複合機の各部の動作を制御すると共に、後述する種々のソフトウエア的機能を実現する。
【００３７】
受付部２０１は、タッチパネル１０４、テンキー１０５及びワンタッチキー１０１に与えられた、宛先を設定する操作を、操作／表示インタフェースを介し、取り込んで受け付ける機能を奏する。受付禁止部２０２は、受付部２０１による宛先の設定の受け付けを禁止する機能を奏する。終了受付部２０３は、後述する設定記憶部２２２による宛先の設定の記憶を終了させるために、スタートキー１０６に与えられた指令を、操作／表示インタフェース１０を介して受け付ける機能を奏する。
【００３８】
中止受付部２０４は、受付部２０１による宛先の設定の受け付けを中止させるために、キャンセルキー１０７に与えられた指令を、操作／表示インタフェース１０を介して受け付ける機能を奏する。設定消去部２０５は、中止受付部２０４が前記指令を受け付けた場合に、設定記憶部２２２の記憶内容を消去する機能を奏する。
【００３９】
判定部２０６は、設定記憶部２２２より読み出した初回の宛先の設定と、受付部２０１が受け付けた再入力による宛先の設定とが同一であるか否かを判定する機能を奏する。第２の判定部２０７は、設定記憶部２２２より読み出した初回の宛先の設定と、受付部２０１が受け付けた再入力による宛先の設定とが同一の宛先情報に対応するか否かを判定する機能を奏する。
【００４０】
表示制御部２０８と、操作／表示インタフェース１０及びＬＣＤパネル１０３とは、表示制御部２０８が、受付部２０１が受け付けた宛先の設定の内容を、操作／表示インタフェース１０を介してＬＣＤパネル１０３に表示する制御を行うことにより、表示部として機能する。表示禁止部２０９は、受付部２０１が初回に受け付けた宛先の設定の内容が、表示部によって表示されるのを禁止する機能を奏する。
【００４１】
通信制御部２１０と、ＮＣＵ１４、モデム１３及びＬＡＮインタフェース１１とは、通信制御部２１０が、設定記憶部２２２より読み出した宛先情報に基づいて、ＮＣＵ１４、モデム１３及びＬＡＮインタフェース１１を制御することにより、外部装置と通信する通信部として機能する。開始受付部２１１は、通信制御部２１０に通信を開始させるために、スタートキー１０６に与えられた指令を、操作／表示インタフェース１０を介して受け付ける機能を奏する。
【００４２】
短縮ダイヤル記憶部２２１は、ワンタッチキー１０１及び電話帳に対応付けられた短縮ダイヤルを、短縮ダイヤルテーブル３１に記憶する機能を奏する。設定記憶部２２２は、受付部２０１が受け付けた宛先の設定を、設定宛先テーブル３２に記憶する機能を奏する。要否記憶部２２３は、受付部２０１による再入力の受け付けの要否を、再入力要否テーブル３３に記憶する機能を奏する。
【００４３】
図３は、短縮ダイヤルにより宛先を設定する場合の操作画面の一例を示す説明図である。図３Ａは、ＬＣＤパネル１０３に表示された宛先設定の待機画面１１０である。この画面において、タッチパネル１０４により、使用者が短縮送信ボタン１１１を押下した場合、ＬＣＤパネル１０３には、図３Ｂに示す短縮ダイヤル入力画面１２０が表示される。短縮ダイヤルの番号は、画面に表示された上下のカーソルキー１２１、１２２による選択と、テンキー１０５からの入力とが可能である。使用者は、短縮ダイヤルの番号を設定することにより、夫々の番号に対応する宛先を設定することができる。
【００４４】
図４は、ワンタッチキー１０１の配置例を示す模式的な説明図である。ワンタッチキー１０１は、４行４列に並べられた１６個のキーと、各キーの番号及び宛先名称を表示するための３組のシート１３１、１３２、１３３からなる。各シートには、夫々１から１６、１７から３２及び３３から４８までの番号を付与してあり、使用者は各シートをめくることにより、１から４８までの任意の番号のワンタッチキー１０１を押下して、夫々の番号に対応する宛先を設定することができる。
【００４５】
図５は、電話帳により宛先を設定する場合の操作画面の一例を示す説明図である。図５に示すように、宛先設定の待機画面１４０において、ＬＣＤパネル１０３には、予め登録されている短縮ダイヤルの宛先名称が表示される。使用者は、図５の最下部に表示された左右の矢印キー１４１、１４２を押下して電話帳の表示画面を順次切り替え、更に目的の宛先名称に対応するボタンを押下することにより、宛先を設定することができる。
【００４６】
図６は、短縮ダイヤルテーブル３１の記憶内容の一例を示す模式図である。短縮ダイヤルテーブル３１には、短縮ダイヤル又はワンタッチキー１０１の番号（ダイヤル）と、宛先名と、ダイヤル番号又はメールアドレス等の宛先情報とを対応させて、最大５００個の宛先について、短縮ダイヤルの登録の有無と共に記憶してある。この記憶内容は、予め管理者が登録することによって登録／削除される。
【００４７】
短縮ダイヤルの００１から０４８までは、夫々ワンタッチキー１０１の０１から４８までと１対１に対応させてあり、電話帳の各登録宛先の番号は、短縮ダイヤルの番号と１対１に対応させてある。このため、使用者は、短縮ダイヤルに宛先を登録した場合、ワンタッチキー１０１による宛先の設定が可能となり、ＬＣＤパネル１０３に電話帳を表示させたときは、短縮ダイヤルに登録された宛先の名称が表示されて、電話帳による宛先の設定が可能となる。
尚、短縮ダイヤル及びワンタッチキー１０１の最大個数は、夫々５００個及び４８個に限定されるのもではない。また、電話帳を、短縮ダイヤル又はワンタッチキー１０１とは独立させて登録できるようにしてもよい。
【００４８】
図７は、設定宛先テーブル３２の記憶内容の一例を示す模式図である。設定宛先テーブル３２には、初回に宛先が設定されたときの最大３０個の宛先について、夫々設定された順番に、設定の際に使用された入力種別と、設定された短縮ダイヤル若しくはワンタッチキー１０１の番号（ダイヤル）又は宛先情報と、再入力の要否と、再入力での宛先の一致の有無とが対応するように記憶される。
尚、初回に設定できる宛先の最大個数は、３０個に限定されるものではない。
【００４９】
入力種別には、直接入力、短縮ダイヤル、ワンタッチキー１０１及び電話帳に夫々対応して、１、２、３及び４が書き込まれる。再入力の要否には、後述する再入力要否テーブル３３を参照して１（要）又は０（不要）が書き込まれる。再入力での宛先の一致の有無には、初期値として３０個の全宛先に０（不一致）が書き込まれ、再入力で宛先の一致を検出したときに、１（一致）が書き込まれる。
【００５０】
図８は、再入力要否テーブル３３の記憶内容の一例を示す模式図である。再入力要否テーブル３３には、上述した１、２、３及び４の入力種別と、夫々の入力種別で初回の宛先が設定された場合の再入力の要否とが対応するように記憶してある。この記憶内容は、予め管理者が登録することによって登録／削除される。
尚、入力種別が４の電話帳を再入力要否テーブル３３から削除し、電話帳で宛先が設定されたときは、入力種別として、短縮ダイヤルの入力種別である２を付与するようにしてもよい。
【００５１】
図９及び図１０は、宛先の設定の受け付けからファクシミリ通信を開始させるまでのＣＰＵ１の処理手順を示すフローチャートである。また、図１１は、宛先の設定があったことを検出するＣＰＵ１の処理手順を示すフローチャートである。以下の処理は、ＲＯＭ２に予め格納された制御プログラムに従って、ＣＰＵ１により実行される。ＣＰＵ１は、宛先設定の待機画面を表示させた後、以下の処理をスタートさせる。
尚、初回の宛先設定の内容を表示するかしないかを切り替えるための「表示禁止ＦＬＧ」、及び再入力待ちの宛先数をカウントするための「再入力残カウンタ」は、夫々ＲＡＭ３に記憶領域を確保してある。また、「表示禁止ＦＬＧ」は、予め管理者が登録することにより、「オン（表示しない）／オフ（表示する）」が設定されているものとする。
【００５２】
図９及び図１０において、ＣＰＵ１は、まず設定宛先テーブル３２を初期化し（ステップＳ１１）、再入力カウンタに０を書き込む（ステップＳ１２）。そして、ＣＰＵ１は、宛先情報の直接入力、短縮ダイヤル、ワンタッチキー１０１又は電話帳により、宛先の設定が有ったか否かを判定する（ステップＳ１３）。宛先の設定が有ったと判定した場合（ステップＳ１３：ＹＥＳ）、ＣＰＵ１は、表示禁止ＦＬＧがオンになっているか否かを判定する（ステップＳ１４）。
【００５３】
表示禁止ＦＬＧがオンでないと判定した場合（ステップＳ１４：ＮＯ）、ＣＰＵ１は、設定された内容として、宛先情報、又は短縮ダイヤル若しくはワンタッチキー１０１の番号をＬＣＤパネル１０３に表示する（ステップＳ１５）。この場合、使用者が電話帳により宛先を設定したときは、対応する短縮ダイヤルの番号がＬＣＤパネル１０３に表示される。
尚、初回の宛先指定についても、常に設定された内容を表示する場合は、ステップＳ１４及びＳ１５の処理を削除してもよい。
【００５４】
ステップＳ１５の処理を終えた場合、又はステップＳ１４で表示禁止ＦＬＧがオンであると判定した場合（ステップＳ１４：ＹＥＳ）、ＣＰＵ１は、設定された内容を設定宛先テーブル３２の各行へ、設定された宛先順に書き込む（ステップＳ１６）。この場合、短縮ダイヤル、ワンタッチキー１０１又は電話帳で宛先が設定されたときは、夫々の入力種別（２、３又は４）と、設定された短縮ダイヤル、ワンタッチキー１０１又は電話帳の番号（ダイヤル）とを書き込み、宛先情報が直接入力されて宛先が設定されたときは、入力種別（１）と、宛先情報とを書き込む。
【００５５】
その後、ＣＰＵ１は、宛先の設定が宛先情報の直接入力によるものか否かを判定する（ステップＳ１７）。直接入力によるものでないと判定した場合（ステップＳ１７：ＮＯ）、ＣＰＵ１は、短縮ダイヤルテーブル３１を参照し（ステップＳ１８）、上述した番号（ダイヤル）に対応する宛先情報を得る。そしてＣＰＵ１は、得た宛先情報を、設定宛先テーブル３２の対応する項目に書き込む（ステップＳ１９）。
尚、後述するステップＳ３５、３６で入力種別を含めた比較を行って、初回と再入力の場合とで宛先の一致を判定する場合は、ステップＳ１７の判定と、ステップＳ１８及びＳ１９の処理とを削除してもよい。
【００５６】
ステップＳ１９の処理を終えた場合、又はステップＳ１７で直接入力によるものであると判定した場合（ステップＳ１７：ＹＥＳ）、ＣＰＵ１は、再入力要否テーブル３３を参照し（ステップＳ２０）、設定された宛先の入力種別に対応する再入力の要否を得る。そしてＣＰＵ１は、得た再入力の要否を、設定宛先テーブル３２の対応する項目に書き込み（ステップＳ２１）、再入力カウンタの内容に１を加える（ステップＳ２２）。その後、ＣＰＵ１は、処理をステップＳ１３に戻す。
尚、初回に設定された全ての宛先について再入力を受け付ける場合は、ステップＳ２０及び２１の処理を削除して、設定宛先テーブル３２へ常に再入力要（１）を書き込むようにしてもよい。
【００５７】
ステップＳ１３で宛先の設定がなかったと判定した場合（ステップＳ１３：ＮＯ）、ＣＰＵ１は、キャンセルキー１０７が押下されたか否かを判定する（ステップＳ２３）。キャンセルキー１０７が押下されたと判定した場合（ステップＳ２３：ＹＥＳ）、ＣＰＵ１は、設定宛先テーブル３２を初期化するために、処理をステップＳ１１に戻す。
【００５８】
キャンセルキー１０７が押下されていないと判定した場合（ステップＳ２３：ＮＯ）、ＣＰＵ１は、スタートキー１０６が押下されたか否かを判定する（ステップＳ２４）。スタートキー１０６が押下されていないと判定した場合（ステップＳ２４：ＮＯ）、ＣＰＵ１は、処理をステップＳ１３に戻す。
【００５９】
スタートキー１０６が押下されたと判定した場合（ステップＳ２４：ＹＥＳ）、ＣＰＵ１は、再入力残カウンタの内容を読み出して、０であるか否かを判定する（ステップＳ３２）。０でないと判定した場合（ステップＳ３２：ＮＯ）、ＣＰＵ１は、再入力による宛先の設定が有ったか否かを判定する（ステップＳ３３）。
【００６０】
宛先の設定が有ったと判定した場合（ステップＳ３３：ＹＥＳ）、ＣＰＵ１は、設定された内容として、宛先情報、又は短縮ダイヤル若しくはワンタッチキー１０１の番号をＬＣＤパネル１０３に表示する（ステップＳ３４）。この場合、使用者が電話帳により再入力したときは、対応する短縮ダイヤルの番号がＬＣＤパネル１０３に表示される。次いで、ＣＰＵ１は、設定宛先テーブル３２のうち再入力要と書き込まれた宛先について、既に書き込まれている内容と、再入力で設定された内容とを、短縮ダイヤル若しくはワンタッチキー１０１の番号（ダイヤル）又は宛先情報について比較する（ステップＳ３５）。
【００６１】
この場合、例えば、短縮ダイヤル、ワンタッチキー１０１又は電話帳で再入力された宛先について、設定宛先テーブル３２の内容と比較するときは、ダイヤルの数値のみを比較すればよく、宛先情報を直接入力して再入力されたときは、宛先情報を比較すればよい。また、再入力での入力種別に拘らず、常に宛先情報を比較するようにしてもよい。
これにより、初回と再入力の場合とで、入力種別が異なるときにも、設定された内容を比較することができる。
尚、初回と再入力の場合とで、入力種別まで含めて比較するようにしてもよい。
【００６２】
その後、ＣＰＵ１は、上述した比較により、設定宛先テーブル３２の中に、再入力の場合と一致する宛先が有るか否かを判定する（ステップＳ３６）。この場合、ステップＳ３５で入力種別まで含めて比較されたときは、本ステップでも入力種別を含む完全一致が判定される。
【００６３】
一致する宛先が有ると判定した場合（ステップＳ３６：ＹＥＳ）、ＣＰＵ１は、設定宛先テーブル３２の一致した宛先について、宛先一致の項目に一致（１）を書き込み（ステップＳ３７）、そして、再入力残カウンタの内容から１を減算して、処理をステップＳ３２に戻す。
【００６４】
ステップＳ３６で一致する宛先がないと判定した場合（ステップＳ３６：ＮＯ）、ＣＰＵ１は、再入力のエラーを表示して（ステップＳ３９）、処理をステップＳ３２に戻す。
【００６５】
ステップＳ３３で宛先の設定がなかったと判定した場合（ステップＳ３３：ＮＯ）、ＣＰＵ１は、キャンセルキー１０７が押下されたか否かを判定する（ステップＳ４０）。キャンセルキー１０７が押下されたと判定した場合（ステップＳ４０：ＹＥＳ）、ＣＰＵ１は、設定宛先テーブル３２を初期化するために、処理をステップＳ１１に戻す。
【００６６】
キャンセルキー１０７が押下されていないと判定した場合（ステップＳ４０：ＮＯ）、ＣＰＵ１は、スタートキー１０６が押下されたか否かを判定する（ステップＳ４１）。スタートキー１０６が押下されていないと判定した場合（ステップＳ４１：ＮＯ）、ＣＰＵ１は、処理をステップＳ３３に戻す。
尚、ここでのスタートキー１０６の押下は、使用者が通信の開始を指令するものであるが、これを受け付けないようにしてもよい。
【００６７】
スタートキー１０６が押下されたと判定した場合（ステップＳ４１：ＹＥＳ）、又はステップＳ３２で再入力残カウンタの内容が０であると判定した場合（ステップＳ３２：ＹＥＳ）、ＣＰＵ１は、設定宛先テーブル３２の中の、再入力要（１）で宛先一致（１）の宛先と、再入力不要（０）の宛先とを、送信対象の宛先として検出する（ステップＳ４２）。そして、検出した宛先数が０であるか否かを判定する（ステップＳ４３）。
【００６８】
検出した宛先数が０であると判定した場合（ステップＳ４３：ＹＥＳ）、ＣＰＵ１は、処理を終了する。０でないと判定した場合（ステップＳ４３：ＮＯ）、ＣＰＵ１は、ステップＳ４２で検出した各宛先に対し、夫々の宛先情報に基づいてファクシミリ通信を開始し（ステップＳ４４）、その後、処理を終了する。
尚、送信対象の宛先数が０である場合に、エラー表示を行ってもよい。また、ここで行う通信は、ファクシミリ通信に限定されるものではなく、電子メールの送受信等であってもよい。
【００６９】
図１１は、宛先の設定があったことを検出するＣＰＵの処理手順を示すフローチャートである。
図１１に示すＣＰＵ１の処理は、図９及び図１０の処理と並列的に随時実行される。
図１１において、ＣＰＵ１は、テンキー１０５に宛先情報が直接入力される宛先の設定が有ったか否かを判定する（ステップＳ５１）。宛先の設定が有ったと判定した場合（ステップＳ５１：ＹＥＳ）、ＣＰＵ１は、処理を後述するステップＳ５５に進める。宛先の設定がなかったと判定した場合（ステップＳ５１：ＮＯ）、ＣＰＵ１は、テンキー１０５又はＬＣＤパネル１０３から短縮ダイヤルの番号が入力される宛先の設定が有ったか否かを判定する（ステップＳ５２）。
【００７０】
宛先の設定が有ったと判定した場合（ステップＳ５２：ＹＥＳ）、ＣＰＵ１は、処理を後述するステップＳ５５に進める。宛先の設定がなかったと判定した場合（ステップＳ５２：ＮＯ）、ＣＰＵ１は、ワンタッチキー１０１が押下される宛先の設定が有ったか否かを判定する（ステップＳ５３）。
【００７１】
宛先の設定が有ったと判定した場合（ステップＳ５３：ＹＥＳ）、ＣＰＵ１は、処理を後述するステップＳ５５に進める。宛先の設定がなかったと判定した場合（ステップＳ５３：ＮＯ）、ＣＰＵ１は、電話帳の宛先がタッチパネル１０４から選択される宛先の設定が有ったか否かを判定する（ステップＳ５４）。
【００７２】
宛先の設定がなかったと判定した場合（ステップＳ５４：ＮＯ）、ＣＰＵ１は、処理をステップＳ５１へ戻す。宛先の設定が有ったと判定した場合（ステップＳ５４：ＹＥＳ）、ＣＰＵ１は、宛先の設定が有ったことを図９及び図１０で示す処理に通知して（ステップＳ５５）、処理を終了する。
【００７３】
以上のように、本実施の形態によれば、宛先の設定を複数回受け付け、初回に受け付けた設定の内容を設定宛先テーブルに記憶し、再入力として受け付けた宛先の設定の内容と、設定宛先テーブルの内容とが同一であると判定した設定に対応する宛先情報に基づいて通信する。
これにより、初回の設定の入力種別が何れであっても再入力を受け付け、初回と再入力の場合とで、設定の入力種別が同一か否かを加味して、設定に対応する宛先情報が同一のときに、設定が同一と判定する。そして、同一と判定した設定に対応する夫々の宛先情報に基づいて、各宛先と通信する。従って、初回に受け付けた宛先の設定の如何に拘らず再入力を受け付け、初回と再入力の場合とで対応する宛先情報が同一の宛先へ送信するため、誤送信を防止できる。
また、再入力の場合に、初回の設定とは意図的に異なる入力種別で宛先を設定するときは、より確実に誤送信を防止でき、初回の設定の入力種別に拘らないときは、これを記憶する必要がないため操作性を向上させることができる。
【００７４】
更に、短縮ダイヤルテーブルが、ワンタッチキーの各キーに対応する夫々の宛先を、夫々のキーに割り当てられた番号と同一番号の各短縮ダイヤルに対応付ける。
これにより、ワンタッチキーのＮ番（Ｎは自然数）及び短縮ダイヤルの＃Ｎで設定された宛先は同一となる。従って、短縮ダイヤル及びワンタッチキーについて宛先の登録の一元管理が可能となる。
【００７５】
更にまた、受け付けた設定の内容を表示するＬＣＤパネルを備える。
これにより、使用者は、設定の際に入力した、短縮ダイヤル及びワンタッチダイヤルの番号と宛先情報の内容とを確認できるため、宛先を設定する際の誤りを低減できる。
【００７６】
更にまた、予め登録された表示禁止ＦＬＧがオンの場合、初回の設定の内容をＬＣＤパネルに表示しない。
従って、初回の設定に誤りがある場合、再入力のときにも同じ誤りが繰り返されることを抑止できる。
【００７７】
更にまた、スタートキーの押下を受け付けた場合、初回の宛先の設定の受け付けを終了する。
これにより、初回の設定と再入力の場合の設定とが明確に区別される。従って、誤送信がより確実に防止される。
【００７８】
更にまた、再入力の要否を、設定の入力種別毎に再入力要否テーブルに記憶し、再入力不要（０）の場合は、再入力に対して再入力エラーを表示する。
これにより、初回の設定の入力種別によって、再入力の要否を区別し、再入力を要しない場合、初回の設定に対応する宛先情報に基づいて通信する。従って、例えば、通信するデータの重要度により、再入力の要否を区別した運用が行える。
【００７９】
更にまた、スタートキーの押下を受け付けた場合、通信を開始する。
これにより、スタートキーの押下を受け付けた場合は、初回に設定された宛先のうち、再入力が必要とされたにも拘らず再入力で設定又は宛先情報の一致確認を終えていない宛先を残して、宛先との通信を開始する。従って、例えば、初回に設定した宛先に通信不要な宛先が含まれていた場合に、必要な宛先とのみ通信することができる。
【００８０】
更にまた、キャンセルキーの押下を受け付けた場合、設定宛先テーブルの内容を初期化する。
従って、例えば、宛先の設定に混乱を来たした場合、簡便な操作により、宛先の設定を最初からやり直すことができる。
【００８１】
尚、本実施の形態にあっては、スタートキー１０６押下を受け付けた場合に、初回の宛先の設定の受け付けを終了して再入力の受け付けを開始するのに対し、初回の宛先の設定と再入力との混在を許容して受け付けるようにしてもよい。この場合は、新たな宛先の設定を受け付けたときは、初回の宛先の設定として設定宛先テーブル３２に記憶し、既に設定宛先テーブル３２に記憶された宛先の設定を受け付けたときは、再入力として扱う。
【００８２】
具体的には、ステップＳ１３で宛先の設定が有ったと判定した場合（ステップＳ１３：ＹＥＳ）、再入力があったときに実行するステップＳ３４へ処理を移す。そして、宛先設定テーブルに一致する宛先がないと判定した場合（ステップＳ３６：ＮＯ）、初回の宛先の設定があったときに実行するステップＳ１４に処理を移す。更に、初回と再入力の場合とで宛先の設定の受け付けを統一的に実行するため、再入力残カウンタの内容が０でないと判定した場合（ステップＳ３２：ＮＯ）に、処理をステップＳ１３へ移すようにすればよい。
以上の処理の分岐先を、図９及び図１０に破線で示す。
【図面の簡単な説明】
【００８３】
【図１】本発明の実施の形態に係るファクシミリ複合機の接続構成を示すブロック図である。
【図２】宛先の設定の受け付け、設定内容の表示及び通信に係る、ファクシミリ複合機の構成を示すブロック図である。
【図３】短縮ダイヤルにより宛先を設定する場合の操作画面の一例を示す説明図である。
【図４】ワンタッチキーの配置例を示す模式的な説明図である。
【図５】電話帳により宛先を設定する場合の操作画面の一例を示す説明図である。
【図６】短縮ダイヤルテーブルの記憶内容の一例を示す模式図である。
【図７】設定宛先テーブルの記憶内容の一例を示す模式図である。
【図８】再入力要否テーブルの記憶内容の一例を示す模式図である。
【図９】宛先の設定の受け付けからファクシミリ送信を開始させるまでのＣＰＵの処理手順を示すフローチャートである。
【図１０】宛先の設定の受け付けからファクシミリ送信を開始させるまでのＣＰＵの処理手順を示すフローチャートである。
【図１１】宛先の設定があったことを検出するＣＰＵの処理手順を示すフローチャートである。
【符号の説明】
【００８４】
１    ＣＰＵ
２    ＲＯＭ
３    ＲＡＭ
３１  短縮ダイヤルテーブル
３２  設定宛先テーブル
３３  再入力要否テーブル
１０１  ワンタッチキー
１０２  キー操作部
１０３  ＬＣＤパネル
１０４  タッチパネル
１０５  テンキー
１０６  スタートキー
１０７  キャンセルキー
２０１  受付部
２０２  受付禁止部
２０３  終了受付部
２０４  中止受付部
２０５  設定消去部
２０６  判定部
２０７  第２の判定部
２０８  表示制御部
２０９  表示禁止部
２１０  通信制御部
２１１  開始受付部
２２１  短縮ダイヤル記憶部
２２２  設定記憶部
２２３  要否記憶部
【図１】
2009194761.tif 000003
【図２】
2009194761.tif 000004
【図３】
2009194761.tif 000005
【図４】
2009194761.tif 000006
【図５】
2009194761.tif 000007
【図６】
2009194761.tif 000008
【図７】
2009194761.tif 000009
【図８】
2009194761.tif 000010
【図９】
2009194761.tif 000011
【図１０】
2009194761.tif 000012
【図１１】
2009194761.tif 000013